(57)【要約】【課題】照合処理用のデータベースを用いずに認証プリントジョブを実行することが可能な技術を提供する。【解決手段】印刷出力装置１０は、認証プリントジョブに係るプリントジョブデータ４００を受信する。印刷出力装置１０は、受信されたプリントジョブデータ４００に基づいて、当該認証プリントジョブに関連する設問であるジョブ関連設問（たとえば、出力されたテストファイル５５０に関する設定内容（設定値群）が当該認証プリントジョブの設定内容（設定値群４７０）と同じであるか否か、を問う設問）を本人認証処理の認証対象ユーザ（Ｕ１）に対して出題する。そして、印刷出力装置１０は、認証対象ユーザＵ１と当該認証プリントジョブの依頼元ユーザとが同一であるか否かを当該認証対象ユーザＵ１からの解答に基づいて判定する処理を、本人認証処理として実行する。【選択図】図３
2020021348.tif 000002
【特許請求の範囲】
【請求項１】
印刷出力装置であって、
本人認証処理を伴うプリントジョブである認証プリントジョブに係るプリントジョブデータを受信する受信手段と、
受信された前記プリントジョブデータに基づいて、前記認証プリントジョブに関連する設問であるジョブ関連設問を前記本人認証処理の認証対象ユーザに対して出題する出題手段と、
前記ジョブ関連設問に対する解答を前記認証対象ユーザから受け付ける解答受付手段と、
前記認証対象ユーザと前記認証プリントジョブの依頼元ユーザとが同一であるか否かを前記解答に基づいて判定する処理を、前記本人認証処理として実行する認証処理手段と、
を備えることを特徴とする印刷出力装置。
【請求項２】
請求項１に記載の印刷出力装置において、
前記ジョブ関連設問は、前記認証プリントジョブの設定内容に関連する設問であることを特徴とする印刷出力装置。
【請求項３】
請求項２に記載の印刷出力装置において、
前記出題手段は、前記認証プリントジョブの設定内容と、前記認証プリントジョブの設定内容とは異なるダミーの設定内容とのうちのいずれか一方の設定内容に基づいて、前記認証プリントジョブにおける印刷対象ファイルではなくテストファイルを出力し、
前記ジョブ関連設問は、前記テストファイルに関する設定内容が前記認証プリントジョブの設定内容と同じであるか否か、を問う設問であることを特徴とする印刷出力装置。
【請求項４】
請求項２に記載の印刷出力装置において、
前記ジョブ関連設問は、前記認証プリントジョブの設定内容とは異なるダミーの設定内容を前記認証プリントジョブの設定内容に訂正することを要求する設問であることを特徴とする印刷出力装置。
【請求項５】
請求項２に記載の印刷出力装置において、
前記出題手段は、前記認証プリントジョブの設定内容とは異なるダミーの設定内容を有する少なくとも１つの設定項目を含む複数の設定項目のそれぞれの設定内容の一覧を前記認証対象ユーザに対して提示し、
前記ジョブ関連設問は、前記ダミーの設定内容を有する前記少なくとも１つの設定項目を前記複数の設定項目の中から選択することを要求する設問であることを特徴とする印刷出力装置。
【請求項６】
請求項１に記載の印刷出力装置において、
前記ジョブ関連設問は、前記認証プリントジョブにおける印刷対象ファイルに関連する設問であることを特徴とする印刷出力装置。
【請求項７】
請求項６に記載の印刷出力装置において、
前記ジョブ関連設問は、前記印刷対象ファイルのファイル拡張子を問う設問であることを特徴とする印刷出力装置。
【請求項８】
請求項６に記載の印刷出力装置において、
前記ジョブ関連設問は、前記印刷対象ファイルのファイル名を問う設問であることを特徴とする印刷出力装置。
【請求項９】
請求項６に記載の印刷出力装置において、
前記印刷対象ファイルは、文書ファイルであり、
前記ジョブ関連設問は、前記文書ファイルに含まれる文字列を問う設問であることを特徴とする印刷出力装置。
【請求項１０】
請求項９に記載の印刷出力装置において、
前記ジョブ関連設問は、前記文書ファイルにおいて最も頻出する文字列を問う設問であることを特徴とする印刷出力装置。
【請求項１１】
請求項６に記載の印刷出力装置において、
前記印刷対象ファイルは、文書ファイルであり、
前記ジョブ関連設問は、前記文書ファイルに含まれる複数の文字列を前記文書ファイルにおける出現頻度の高い順に複数の選択肢の中から選択することを要求する設問であることを特徴とする印刷出力装置。
【請求項１２】
請求項６に記載の印刷出力装置において、
前記印刷対象ファイルは、文書ファイルであり、
前記ジョブ関連設問は、前記文書ファイルに含まれる複数の文字列を前記文書ファイルにおける登場順に複数の選択肢の中から選択することを要求する設問であることを特徴とする印刷出力装置。
【請求項１３】
請求項１１または請求項１２に記載の印刷出力装置において、
前記複数の選択肢は、ダミーの文字列を含むことを特徴とする印刷出力装置。
【請求項１４】
請求項６に記載の印刷出力装置において、
前記印刷対象ファイルは、写真ファイルであり、
前記ジョブ関連設問は、前記写真ファイルに含まれる被写体の数を問う設問であることを特徴とする印刷出力装置。
【請求項１５】
請求項６に記載の印刷出力装置において、
前記印刷対象ファイルは、写真ファイルであり、
前記ジョブ関連設問は、前記写真ファイルに含まれる被写体の種別を示す種別情報を複数の選択肢の中から選択することを要求する設問であることを特徴とする印刷出力装置。
【請求項１６】
請求項１５に記載の印刷出力装置において、
前記複数の選択肢は、ダミーの種別情報を含むことを特徴とする印刷出力装置。
【請求項１７】
印刷出力装置に内蔵されたコンピュータに、
ａ）本人認証処理を伴うプリントジョブである認証プリントジョブに係るプリントジョブデータを受信するステップと、
ｂ）前記ステップａ）にて受信された前記プリントジョブデータに基づいて、前記認証プリントジョブに関連する設問であるジョブ関連設問を前記本人認証処理の認証対象ユーザに対して出題するステップと、
ｃ）前記ジョブ関連設問に対する解答を前記認証対象ユーザから受け付けるステップと、
ｄ）前記認証対象ユーザと前記認証プリントジョブの依頼元ユーザとが同一であるか否かを前記解答に基づいて判定する処理を、前記本人認証処理として実行するステップと、
を実行させるためのプログラム。
【請求項１８】
印刷出力装置の制御方法であって、
ａ）本人認証処理を伴うプリントジョブである認証プリントジョブに係るプリントジョブデータを受信するステップと、
ｂ）前記ステップａ）にて受信された前記プリントジョブデータに基づいて、前記認証プリントジョブに関連する設問であるジョブ関連設問を前記本人認証処理の認証対象ユーザに対して出題するステップと、
ｃ）前記ジョブ関連設問に対する解答を前記認証対象ユーザから受け付けるステップと、
ｄ）前記認証対象ユーザと前記認証プリントジョブの依頼元ユーザとが同一であるか否かを前記解答に基づいて判定する処理を、前記本人認証処理として実行するステップと、
を有することを特徴とする、印刷出力装置の制御方法。
【発明の詳細な説明】
【技術分野】
【０００１】
本発明は、ＭＦＰ（マルチ・ファンクション・ペリフェラル（Multi-Functional Peripheral））などの印刷出力装置、およびそれに関連する技術に関する。
【背景技術】
【０００２】
コンピュータなどの印刷指示装置から受信されたプリントジョブデータに基づいて、直ちに印刷出力を実行させるのではなく、本人認証処理を経た後に印刷出力させる技術が存在する。本人認証処理は、認証対象ユーザ（印刷出力物の受取ユーザ）とプリントジョブの依頼元ユーザとが同一であるか否かを判定する処理である。当該本人認証処理（ユーザ認証処理とも称される）を伴うプリントジョブは、「認証プリントジョブ」などとも称される。なお、当該技術によれば、依頼元ユーザがコンピュータの存在位置からＭＦＰの存在位置に移動した後に当該ＭＦＰによって印刷出力が行われるので、ＭＦＰの排紙トレイ等に出力された印刷出力物（暫く放置されていた印刷出力物）が他人に見られてしまうこと等を防止することが可能である。
【０００３】
本人認証処理（ユーザ認証処理）として、予め登録された認証情報（正規の認証情報）と認証対象ユーザによって入力された認証情報との照合処理を実行する技術が存在する。
【０００４】
たとえば、特許文献１に記載の技術では、ＭＦＰの登録ユーザの認証情報（ユーザＩＤおよびパスワード）を照合処理用のデータベース（パスワードデータベース）に予め登録しておき、認証プリントジョブの実行に際してＭＦＰの操作パネルにて認証対象ユーザによって入力された認証情報と当該データベースに予め登録されている認証情報とを照合してユーザ認証処理が行われる。そして、当該ユーザ認証処理が成功すると、ＭＦＰは、認証対象ユーザと認証プリントジョブの依頼元ユーザとが同一であると判定して、プリントジョブデータに基づく印刷出力を実行する。
【先行技術文献】
【特許文献】
【０００５】
【特許文献１】特開２０１０−３００６号公報
【発明の概要】
【発明が解決しようとする課題】
【０００６】
しかしながら、照合処理用のデータベース（ＭＦＰの利用ユーザ全員の正規の認証情報を格納したデータベース）を用いて認証プリントジョブが実行される場合（換言すれば、認証情報の照合処理を伴う認証プリントジョブが実行される場合）、種々の問題が生じ得る。たとえば、ユーザ認証に際してユーザによって入力される認証情報（ユーザＩＤおよびパスワード等）の管理は当該ユーザ個人に委ねられていることが多く、ユーザによっては（ユーザの管理方法によっては）当該認証情報が流出してしまう恐れがある。
【０００７】
そこで、本発明は、照合処理用のデータベースを用いずに認証プリントジョブを実行することが可能な技術を提供することを課題とする。
【課題を解決するための手段】
【０００８】
上記課題を解決すべく、請求項１の発明は、印刷出力装置であって、本人認証処理を伴うプリントジョブである認証プリントジョブに係るプリントジョブデータを受信する受信手段と、受信された前記プリントジョブデータに基づいて、前記認証プリントジョブに関連する設問であるジョブ関連設問を前記本人認証処理の認証対象ユーザに対して出題する出題手段と、前記ジョブ関連設問に対する解答を前記認証対象ユーザから受け付ける解答受付手段と、前記認証対象ユーザと前記認証プリントジョブの依頼元ユーザとが同一であるか否かを前記解答に基づいて判定する処理を、前記本人認証処理として実行する認証処理手段と、を備えることを特徴とする。
【０００９】
請求項２の発明は、請求項１の発明に係る印刷出力装置において、前記ジョブ関連設問は、前記認証プリントジョブの設定内容に関連する設問であることを特徴とする。
【００１０】
請求項３の発明は、請求項２の発明に係る印刷出力装置において、前記出題手段は、前記認証プリントジョブの設定内容と、前記認証プリントジョブの設定内容とは異なるダミーの設定内容とのうちのいずれか一方の設定内容に基づいて、前記認証プリントジョブにおける印刷対象ファイルではなくテストファイルを出力し、前記ジョブ関連設問は、前記テストファイルに関する設定内容が前記認証プリントジョブの設定内容と同じであるか否か、を問う設問であることを特徴とする。
【００１１】
請求項４の発明は、請求項２の発明に係る印刷出力装置において、前記ジョブ関連設問は、前記認証プリントジョブの設定内容とは異なるダミーの設定内容を前記認証プリントジョブの設定内容に訂正することを要求する設問であることを特徴とする。
【００１２】
請求項５の発明は、請求項２の発明に係る印刷出力装置において、前記出題手段は、前記認証プリントジョブの設定内容とは異なるダミーの設定内容を有する少なくとも１つの設定項目を含む複数の設定項目のそれぞれの設定内容の一覧を前記認証対象ユーザに対して提示し、前記ジョブ関連設問は、前記ダミーの設定内容を有する前記少なくとも１つの設定項目を前記複数の設定項目の中から選択することを要求する設問であることを特徴とする。
【００１３】
請求項６の発明は、請求項１の発明に係る印刷出力装置において、前記ジョブ関連設問は、前記認証プリントジョブにおける印刷対象ファイルに関連する設問であることを特徴とする。
【００１４】
請求項７の発明は、請求項６の発明に係る印刷出力装置において、前記ジョブ関連設問は、前記印刷対象ファイルのファイル拡張子を問う設問であることを特徴とする。
【００１５】
請求項８の発明は、請求項６の発明に係る印刷出力装置において、前記ジョブ関連設問は、前記印刷対象ファイルのファイル名を問う設問であることを特徴とする。
【００１６】
請求項９の発明は、請求項６の発明に係る印刷出力装置において、前記印刷対象ファイルは、文書ファイルであり、前記ジョブ関連設問は、前記文書ファイルに含まれる文字列を問う設問であることを特徴とする。
【００１７】
請求項１０の発明は、請求項９の発明に係る印刷出力装置において、前記ジョブ関連設問は、前記文書ファイルにおいて最も頻出する文字列を問う設問であることを特徴とする。
【００１８】
請求項１１の発明は、請求項６の発明に係る印刷出力装置において、前記印刷対象ファイルは、文書ファイルであり、前記ジョブ関連設問は、前記文書ファイルに含まれる複数の文字列を前記文書ファイルにおける出現頻度の高い順に複数の選択肢の中から選択することを要求する設問であることを特徴とする。
【００１９】
請求項１２の発明は、請求項６の発明に係る印刷出力装置において、前記印刷対象ファイルは、文書ファイルであり、前記ジョブ関連設問は、前記文書ファイルに含まれる複数の文字列を前記文書ファイルにおける登場順に複数の選択肢の中から選択することを要求する設問であることを特徴とする。
【００２０】
請求項１３の発明は、請求項１１または請求項１２の発明に係る印刷出力装置において、前記複数の選択肢は、ダミーの文字列を含むことを特徴とする。
【００２１】
請求項１４の発明は、請求項６の発明に係る印刷出力装置において、前記印刷対象ファイルは、写真ファイルであり、前記ジョブ関連設問は、前記写真ファイルに含まれる被写体の数を問う設問であることを特徴とする。
【００２２】
請求項１５の発明は、請求項６の発明に係る印刷出力装置において、前記印刷対象ファイルは、写真ファイルであり、前記ジョブ関連設問は、前記写真ファイルに含まれる被写体の種別を示す種別情報を複数の選択肢の中から選択することを要求する設問であることを特徴とする。
【００２３】
請求項１６の発明は、請求項１５の発明に係る印刷出力装置において、前記複数の選択肢は、ダミーの種別情報を含むことを特徴とする。
【００２４】
請求項１７の発明は、印刷出力装置に内蔵されたコンピュータに、ａ）本人認証処理を伴うプリントジョブである認証プリントジョブに係るプリントジョブデータを受信するステップと、ｂ）前記ステップａ）にて受信された前記プリントジョブデータに基づいて、前記認証プリントジョブに関連する設問であるジョブ関連設問を前記本人認証処理の認証対象ユーザに対して出題するステップと、ｃ）前記ジョブ関連設問に対する解答を前記認証対象ユーザから受け付けるステップと、ｄ）前記認証対象ユーザと前記認証プリントジョブの依頼元ユーザとが同一であるか否かを前記解答に基づいて判定する処理を、前記本人認証処理として実行するステップと、を実行させるためのプログラムであることを特徴とする。
【００２５】
請求項１８の発明は、印刷出力装置の制御方法であって、ａ）本人認証処理を伴うプリントジョブである認証プリントジョブに係るプリントジョブデータを受信するステップと、ｂ）前記ステップａ）にて受信された前記プリントジョブデータに基づいて、前記認証プリントジョブに関連する設問であるジョブ関連設問を前記本人認証処理の認証対象ユーザに対して出題するステップと、ｃ）前記ジョブ関連設問に対する解答を前記認証対象ユーザから受け付けるステップと、ｄ）前記認証対象ユーザと前記認証プリントジョブの依頼元ユーザとが同一であるか否かを前記解答に基づいて判定する処理を、前記本人認証処理として実行するステップと、を有することを特徴とする。
【発明の効果】
【００２６】
請求項１から請求項１８に記載の発明によれば、受信されたプリントジョブデータに基づいて、当該プリントジョブデータに係る認証プリントジョブに関連する設問であるジョブ関連設問が認証対象ユーザに対して出題される。そして、当該ジョブ関連設問に対する解答が当該認証対象ユーザから受け付けられ、当該認証対象ユーザと当該認証プリントジョブの依頼元ユーザとが同一であるか否かを当該解答に基づいて判定する処理が、本人認証処理として実行される。したがって、照合処理用のデータベースを用いずに認証プリントジョブを実行することが可能である。
【図面の簡単な説明】
【００２７】
【図１】プリントシステムの構成を示す概略図である。
【図２】ＭＦＰの機能ブロックを示す図である。
【図３】プリントシステムの動作の概要を示す概念図である。
【図４】印刷対象ファイル（文書ファイル）を示す図である。
【図５】ＭＦＰの動作を示すフローチャートである。
【図６】設問画面（同一性質問画面）を示す図である。
【図７】第２実施形態に係る設問画面（訂正要求画面（訂正操作前））を示す図である。
【図８】第２実施形態に係る設問画面（訂正要求画面（訂正操作中））を示す図である。
【図９】第２実施形態に係る設問画面（訂正要求画面（訂正操作後））を示す図である。
【図１０】第２実施形態の改変例に係る設問画面（項目選択要求画面（選択操作前））を示す図である。
【図１１】第２実施形態の改変例に係る設問画面（項目選択要求画面（選択操作後））を示す図である。
【図１２】第３実施形態に係るＭＦＰの動作を示すフローチャートである。
【図１３】第３実施形態に係る設問画面（拡張子選択画面）を示す図である。
【図１４】第３実施形態の改変例に係る設問画面（ファイル名入力画面）を示す図である。
【図１５】第３実施形態の改変例に係る設問画面（最頻出ワード入力画面）を示す図である。
【図１６】第４実施形態に係る設問画面（頻出ワード選択画面）を示す図である。
【図１７】印刷対象ファイル（写真ファイル）を示す図である。
【図１８】第５実施形態に係る設問画面（被写体数入力画面）を示す図である。
【図１９】第６実施形態に係る設問画面（被写体選択画面）を示す図である。
【発明を実施するための形態】
【００２８】
以下、本発明の実施形態を図面に基づいて説明する。
【００２９】
＜１．第１実施形態＞
＜１−１．システム構成＞
図１は、本発明に係るプリントシステム１の構成を示す概略図である。図１に示すように、当該プリントシステム１は、印刷出力装置１０と印刷指示装置５０とを備えて形成されている。ここでは、印刷出力装置１０としてＭＦＰ（マルチ・ファンクション・ペリフェラル（Multi-Functional Peripheral））が例示され、印刷指示装置５０としてパーソナルコンピュータが例示される。なお、これに限定されず、たとえば、印刷出力装置１０は単体プリンタなどであってもよく、印刷指示装置５０はタブレット端末あるいはスマートフォンなどであってもよい。
【００３０】
ＭＦＰ１０と印刷指示装置５０とは、ネットワーク１０８を介して接続されており、ネットワーク通信を実行することが可能である。なお、ネットワーク１０８は、ＬＡＮ（Local Area Network）およびインターネットなどの各種のネットワークを含む。また、ネットワーク１０８への接続形態は、有線接続であってもよく或いは無線接続であってもよい。
【００３１】
ＭＦＰ１０は、印刷指示装置５０から受信されたプリントジョブデータに基づくプリントジョブ（印刷ジョブ）を実行するプリンタとして機能する。
【００３２】
具体的には、まず、印刷指示装置５０は、当該印刷指示装置５０にインストールされている印刷制御プログラム（プリンタドライバ等）において印刷設定画面（不図示）を表示する。そして、印刷指示装置５０は、当該印刷設定画面において各設定項目に関する設定値の変更操作（設定操作）を利用者（プリントジョブの依頼元ユーザ）から受け付ける。その後、印刷指示装置５０は、設定完了操作を当該依頼元ユーザから受け付けるとともに、印刷実行指示を依頼元ユーザから受け付ける。
【００３３】
依頼元ユーザからの印刷実行指示に応答して、印刷指示装置５０は、プリントジョブデータをＭＦＰ１０に対して送信する。当該プリントジョブデータには、印刷対象ファイル（プリントジョブの実行対象ファイル）と、当該プリントジョブの設定内容（詳細には、複数の設定項目のそれぞれに関して設定された設定内容を記述した設定内容データ）とが含まれる。そして、ＭＦＰ１０は、印刷指示装置５０から送信されてきたプリントジョブデータを受信し、当該プリントジョブデータに基づく印刷出力を実行する。
【００３４】
その後、当該プリントジョブの依頼元ユーザ（すなわち、当該プリントジョブの印刷出力物の受取ユーザ）は、ＭＦＰ１０の存在位置に移動して、当該印刷出力物を受け取る。
【００３５】
このプリントシステム１において、ＭＦＰ１０は、認証プリントジョブを実行することも可能である。認証プリントジョブは、本人認証処理を伴うプリントジョブである。本人認証処理は、認証対象ユーザ（認証プリントジョブの印刷出力物の受取ユーザ）と当該認証プリントジョブの依頼元ユーザとが同一であるか否かを判定（確認）する処理である。すなわち、認証プリントジョブにおいては、印刷指示装置５０から受信されたプリントジョブデータに基づいて、直ちに印刷出力が実行されるのではなく、本人認証処理の認証対象ユーザ（印刷出力物の受取ユーザ）が当該認証プリントジョブの依頼元ユーザ本人であると判定されることを条件に印刷出力が実行される。
【００３６】
ただし、このプリントシステム１においては、ＭＦＰ１０は、認証プリントジョブを実行するにあたって、認証情報（たとえば、ユーザＩＤおよびパスワード）の照合処理を伴う本人認証処理（ユーザ認証処理）ではなく、当該照合処理を伴わない本人認証処理を実行する。換言すれば、ＭＦＰ１０は、照合処理用のデータベース（ＭＦＰ１０の利用ユーザの認証情報を格納したデータベース）を用いずに認証プリントジョブを実行する。なお、詳細については後述する。
【００３７】
＜１−２．ＭＦＰ１０の構成＞
図２は、ＭＦＰ１０の機能ブロックを示す図である。
【００３８】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９（制御部）等を備えており、これらの各部を複合的に動作させることによって、各種の機能を実現する。なお、ＭＦＰ１０は、画像処理装置、画像形成装置あるいは印刷出力装置などとも称される。
【００３９】
画像読取部（スキャン部とも称される）２は、ＭＦＰ１０の所定の位置に載置された原稿を光学的に読み取って、当該原稿の画像データ（原稿画像あるいはスキャン画像とも称される）を生成する処理部である。
【００４０】
印刷出力部３は、印刷対象画像に関する画像データに基づいて紙などの各種の媒体に画像を印刷出力する出力部である。
【００４１】
通信部４は、公衆回線等を介したファクシミリ通信を行うことが可能な処理部である。さらに、通信部４は、ネットワーク１０８を介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１０は、所望の相手先（印刷指示装置５０等）との間で各種のデータ（プリントジョブデータ等）を授受することが可能である。
【００４２】
格納部５は、ハードディスクドライブ（ＨＤＤ）等の格納装置で構成される。
【００４３】
操作部６は、ＭＦＰ１０に対する操作入力を受け付ける操作入力部６ａと、各種情報の表示出力を行う表示部６ｂとを備えている。このＭＦＰ１０においては、略板状の操作パネル部６ｃ（図１参照）が設けられており、当該操作パネル部６ｃは、その正面側にタッチパネル（操作パネル）２５（図１参照）を有している。タッチパネル２５は、液晶表示パネルに圧電センサ等が埋め込まれて構成され、各種情報を表示するとともに操作者からの操作入力を受け付けることが可能である。
【００４４】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ等）とを備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体、あるいはネットワーク１０８等を介してＭＦＰ１０にインストールされてもよい。
【００４５】
具体的には、図２に示すように、コントローラ９は、当該プログラムの実行により、通信制御部１１と入力制御部１２と表示制御部１３と出題部１４と解答受付部１５と判定部１６と認証処理部１７とを含む各種の処理部を実現する。
【００４６】
通信制御部１１は、他の装置（印刷指示装置５０等）との間の通信動作を制御する処理部である。
【００４７】
入力制御部１２は、操作入力部６ａに対する操作入力動作を制御する制御部である。
【００４８】
表示制御部１３は、表示部６ｂにおける表示動作を制御する処理部である。たとえば、表示制御部１３は、ジョブ関連設問（後述）を出題する設問画面２００（図６等参照）をＭＦＰ１０のタッチパネル２５に表示する表示動作等を制御する。なお、当該設問画面２００は、当該ジョブ関連設問に対する解答操作を本人認証処理の認証対象ユーザから受け付ける解答画面としても用いられる。
【００４９】
出題部（出題制御部）１４は、印刷指示装置５０から受信されたプリントジョブデータ（認証プリントジョブに係るプリントジョブデータ）に基づいて、ジョブ関連設問（次述）を認証対象ユーザに対して出題する出題動作を制御する処理部である。ジョブ関連設問は、受信された当該プリントジョブデータに係る認証プリントジョブ（受け付けられた認証プリントジョブ）に関連する設問である。たとえば、出題部１４は、表示制御部１３と協働して、ジョブ関連設問をＭＦＰ１０のタッチパネル２５（詳細には、設問画面２００（図６等））に表示出力して、当該ジョブ関連設問を認証対象ユーザに対して出題する。
【００５０】
解答受付部１５は、ジョブ関連設問に対する解答を認証対象ユーザから受け付ける解答受付動作を制御する処理部である。換言すれば、解答受付部１５は、ジョブ関連設問に対する認証対象ユーザの解答の内容（解答内容）を取得する解答取得動作を制御する。
【００５１】
判定部１６は、各種の判定動作を制御する処理部である。
【００５２】
認証処理部１７は、本人認証処理（ユーザ認証処理）を実行する処理部である。ここでは、認証処理部１７は、登録ユーザの認証情報（ユーザＩＤおよびパスワード等）の照合処理を伴わない本人認証処理（ユーザ認証処理）を実行する。具体的には、認証処理部１７は、認証対象ユーザと認証プリントジョブの依頼元ユーザとが同一（同一人物）であるか否かをジョブ関連設問に対する認証対象ユーザからの解答に基づいて判定する処理（同一性判定処理）を、本人認証処理として実行する。
【００５３】
なお、ここでは、主にコントローラ９のＣＰＵにてソフトウエアプログラムを実行することによって、上述の各種の動作が実行されているが、これに限定されず、ＭＦＰ１０（詳細には、コントローラ９の内部あるいは外部）にて設けられた専用ハードウエア等を用いて、上述の各種の動作が実行されるようにしてもよい。たとえば、通信制御部１１、入力制御部１２、表示制御部１３、出題部１４、解答受付部１５、判定部１６および認証処理部１７（図２）等の全部または一部が、１または複数の専用ハードウエアを用いて実現されてもよい。
【００５４】
＜１−３．動作＞
図３は、このプリントシステム１の動作の概略を示す概念図である。
【００５５】
このプリントシステム１においては、ＭＦＰ１０は、認証プリントジョブに係るプリントジョブデータ４００を印刷指示装置５０から受信すると、当該プリントジョブデータ４００に基づく印刷出力を直ちに実行するのではなく、当該プリントジョブデータ４００を自装置１０内に一旦格納する。
【００５６】
その後、ＭＦＰ１０は、受信された当該プリントジョブデータ４００に基づいて、当該認証プリントジョブに関連する設問（ジョブ関連設問）を本人認証処理の認証対象ユーザ（たとえばユーザＵ１）に対して出題する。そして、ＭＦＰ１０は、当該ジョブ関連設問に対する解答を当該認証対象ユーザＵ１から受け付けると、当該認証対象ユーザＵ１と当該認証プリントジョブの依頼元ユーザとが同一であるか否かを当該解答に基づいて判定する処理を、本人認証処理として実行する。
【００５７】
当該認証対象ユーザＵ１と認証プリントジョブの依頼元ユーザとが同一である旨が当該本人認証処理において判定される場合、ＭＦＰ１０は、自装置１０内に格納していたプリントジョブデータ４００に基づく印刷出力を実行する。一方、当該認証対象ユーザＵ１と認証プリントジョブの依頼元ユーザとが異なる旨が当該本人認証処理において判定される場合、ＭＦＰ１０は、当該プリントジョブデータ４００に基づく印刷出力を実行しない。
【００５８】
図５は、ＭＦＰ１０の動作を示すフローチャートである。
【００５９】
まず、ステップＳ１１に先立って、印刷指示装置５０のプリンタドライバにおいて認証プリントジョブの設定操作がユーザ（認証プリントジョブの依頼元ユーザ）によって行われる。
【００６０】
具体的には、ユーザ（たとえばユーザＵ１）は、印刷対象ファイル４５０（ここでは文書ファイル４５１（図４））を指定するとともに、プリントジョブに関する複数の設定項目のそれぞれの設定値を設定する。ここでは、設定項目「両面／片面」が設定値「片面」に設定されるとともに、設定項目「カラー設定」が設定値「カラー」に設定される（図３参照）。また、設定項目「用紙サイズ」が設定値「Ａ４」に設定されるとともに、設定項目「ページ番号」が設定値「あり」に設定される（図３参照）。また、ユーザ（Ｕ１）は、認証プリントジョブを実行する旨を設定する。
【００６１】
そして、ユーザＵ１が、認証プリントジョブの送信指示を付与すると、印刷指示装置５０は、当該認証プリントジョブに係るプリントジョブデータ４００（図３参照）をＭＦＰ１０に送信する。当該プリントジョブデータ４００には、認証プリントジョブにおける印刷対象ファイル４５０（ここでは文書ファイル４５１（図４））と、当該認証プリントジョブの設定値群４７０（図３）とが含まれる。設定値群は、複数の設定項目の複数の設定値（設定内容）の集合体である。
【００６２】
ＭＦＰ１０は、認証プリントジョブに係るプリントジョブデータ４００を印刷指示装置５０から受信すると、当該認証プリントジョブを受け付けるとともに、処理を図５のステップＳ１１からステップＳ１２ａへと進める。なお、ＭＦＰ１０は、受信した当該プリントジョブデータ４００を格納部５に格納する。
【００６３】
ステップＳ１２ａにおいては、ＭＦＰ１０は、受信されたプリントジョブデータ４００に基づいて、認証プリントジョブの設定内容（詳細には設定値群４７０（図３））を抽出する。ここでは、設定項目「両面／片面」の設定値「片面」が抽出されるとともに、設定項目「カラー設定」の設定値「カラー」が抽出される。また、設定項目「用紙サイズ」の設定値「Ａ４」が抽出されるとともに、設定項目「ページ番号」の設定値「あり」が抽出される。
【００６４】
そして、処理はステップＳ１２ａからステップＳ１３へと進む。
【００６５】
ステップＳ１３においては、ＭＦＰ１０は、ジョブ関連設問（受け付けられた認証プリントジョブに関連する設問）を本人認証処理の認証対象ユーザ（詳細には、当該認証プリントジョブの印刷出力物の受取ユーザ）に対して出題する。なお、認証プリントジョブの依頼元ユーザ（ここではユーザＵ１）は、印刷指示装置５０において当該認証プリントジョブの送信指示を付与した直後にＭＦＰ１０の存在場所へと移動するものとする。
【００６６】
ここでは、ＭＦＰ１０は、受け付けられた認証プリントジョブの設定内容（設定値群４７０）に関連する設問を、ジョブ関連設問として認証対象ユーザ（Ｕ１）に対して出題する。換言すれば、認証プリントジョブの設定操作を行ったユーザ（認証プリントジョブの設定内容を知っているユーザ）本人であれば正答できる設問が、認証対象ユーザ（印刷出力物の受取ユーザ）に対して出題される。
【００６７】
具体的には、まず、ＭＦＰ１０は、受け付けられた認証プリントジョブにおける印刷対象ファイル４５０（図４）ではなく、ＭＦＰ１０内に予め準備されたテストファイル（見本ファイルとも称される）５５０（図３）を印刷出力する。より具体的には、ＭＦＰ１０は、当該認証プリントジョブの設定値群（正規の設定値群）４７０（図３）とダミーの設定値群（非正規の設定値群）５７０（図３）とのうちのいずれか一方の設定値群に基づいて、当該テストファイル５５０を印刷出力する。ここでは、テストファイル５００は、印刷対象ファイル４５０のページ数「４ページ」と同じページ数を有する（図３参照）とともに、４ページに分けられて印刷出力される。なお、テストファイル５００のページ数は、当該印刷対象ファイル４５０のページ数「４ページ」とは異なるページ数（たとえば、当該印刷対象ファイル４５０のページ数「４ページ」よりも少ないページ数（１ページあるいは２ページ等））であってもよい。
【００６８】
ダミーの設定値群５７０は、当該認証プリントジョブの設定値群４７０とは異なる設定値群である。詳細には、ダミーの設定値群５７０は、複数の設定項目のうちの少なくとも１つの設定項目に関して認証プリントジョブの設定値群４７０とは異なる設定値（設定内容）を有する。ここでは、ダミーの設定値群５７０は、複数の設定項目のうちの３つの設定項目（「カラー設定」、「用紙サイズ」および「ページ番号」）に関して認証プリントジョブの設定値群４７０とは異なる設定値（ダミーの設定内容）を有する（図３参照）。詳細には、ダミーの設定値群５７０における設定項目「カラー設定」の設定値は、認証プリントジョブの設定値群４７０における設定値「カラー」とは異なる値「モノクロ」を有する。また、ダミーの設定値群５７０における設定項目「用紙サイズ」の設定値は、認証プリントジョブの設定値群４７０における設定値「Ａ４」とは異なる値「Ｂ３」を有する。さらに、ダミーの設定値群５７０における設定項目「ページ番号」の設定値は、認証プリントジョブにおける設定値「あり」とは異なる値「なし」を有する。なお、当該３つの設定項目以外の設定項目に関しては、ダミーの設定値群５７０は、認証プリントジョブの設定値群４７０と同じ設定値を有する。たとえば、ダミーの設定値群５７０における設定項目「両面／片面」の設定値は、認証プリントジョブの設定値群４７０における設定値と同じ値「片面」を有する。
【００６９】
さらに、ＭＦＰ１０は、ジョブ関連設問を出題する設問画面（出題画面）２００をタッチパネル２５に表示する（図６参照）。図６は、設問画面２１０（２００）を示す図である。当該設問画面２１０においては、出力されたテストファイル５５０に関する設定内容（設定値群）が認証プリントジョブの設定内容（設定値群４７０）と同じであるか否か、が認証対象ユーザＵ１に対して質問（確認）される。なお、当該設問画面２１０は、同一性質問画面とも称される。
【００７０】
そして、処理はステップＳ１３からステップＳ１４へと進む。
【００７１】
ステップＳ１４においては、ＭＦＰ１０は、当該ジョブ関連設問に対する解答（解答操作）を本人認証処理の認証対象ユーザ（認証プリントジョブの印刷出力物の受取ユーザ）から受け付ける。
【００７２】
具体的には、図６に示されるように、同一性質問画面２１０には、「はい」ボタン２１１と「いいえ」ボタン２１２との２つの解答ボタンが設けられており、ＭＦＰ１０は、両ボタン２１１，２１２のいずれか一方のボタンの押下操作をジョブ関連設問に対する解答操作として受け付ける。「はい」ボタン２１１は、出力されたテストファイル５５０に関する設定値群が当該認証プリントジョブの設定値群４７０と同じである旨の解答を受け付けるボタンである。「いいえ」ボタン２１２は、出力されたテストファイル５５０に関する設定値群が当該認証プリントジョブの設定値群４７０とは異なる旨の解答を受け付けるボタンである。このように、ここでは、設問画面２００（同一性質問画面２１０）を用いて認証対象ユーザＵ１による解答操作が受け付けられる。すなわち、ジョブ関連設問を出題する設問画面２００（２１０）は、当該ジョブ関連設問に対する認証対象ユーザの解答を受け付ける解答画面としても用いられる。
【００７３】
たとえば、認証対象ユーザＵ１は、テストファイル５５０に関する設定値群が認証プリントジョブ（依頼元ユーザによって付与された認証プリントジョブ）の設定値群４７０（図３）と同じであると判断した場合、「はい」ボタン２１１（図６）を押下する。これにより、ＭＦＰ１０は、テストファイル５５０に関する設定値群が当該認証プリントジョブの設定値群４７０と同じである旨の解答を認証対象ユーザＵ１から受け付ける（ステップＳ１４）。
【００７４】
逆に、認証対象ユーザＵ１は、テストファイル５５０に関する設定値群が認証プリントジョブの設定値群４７０と異なると判断した場合、「いいえ」ボタン２１２（図６）を押下する。これにより、ＭＦＰ１０は、テストファイル５５０に関する設定値群が当該認証プリントジョブの設定値群４７０と異なる旨の解答を認証対象ユーザＵ１から受け付ける（ステップＳ１４）。
【００７５】
そして、処理はステップＳ１４からステップＳ１５へと進む。
【００７６】
ステップＳ１５〜Ｓ１７においては、ＭＦＰ１０は、認証対象ユーザ（認証プリントジョブの印刷出力物の受取ユーザ）Ｕ１と認証プリントジョブの依頼元ユーザとが同一（同一人物）であるか否かを認証対象ユーザからの解答（解答の正否）に基づいて判定する処理を、本人認証処理として実行する。
【００７７】
具体的には、まず、ＭＦＰ１０は、ジョブ関連設問に対して認証対象ユーザＵ１から受け付けられた解答に対する正誤判定処理（ジョブ関連設問に対する認証対象ユーザＵ１の解答が正解であるか不正解であるかを判定する処理）を実行する（ステップＳ１５）。ここでは、出力されたテストファイル５５０に関する設定値群が認証プリントジョブの設定値群４７０と同じであるか否かを問う設問に対する認証対象ユーザＵ１の解答が正しいか否か（正解であるか不正解であるか）、が判定される。
【００７８】
たとえば、認証プリントジョブの設定値群４７０に基づきテストファイル５５０が印刷出力された場合において、テストファイル５５０に関する設定値群が当該設定値群４７０と同じである旨の解答（「はい」ボタン２１１の押下操作）が受け付けられたときには、認証対象ユーザＵ１の解答は正解である旨がステップＳ１５にて判定される。
【００７９】
また、たとえばダミーの設定値群５７０に基づきテストファイル５５０が印刷出力された場合（図３参照）において、テストファイル５５０に関する設定値群が認証プリントジョブの設定値群４７０と異なる旨の解答（「いいえ」ボタン２１２の押下操作）が受け付けられたときにも、認証対象ユーザＵ１の解答は正解である旨がステップＳ１５にて判定される。
【００８０】
認証対象ユーザの解答が正解である旨がステップＳ１５にて判定されると、処理はステップＳ１５からステップＳ１６へと進む。
【００８１】
ステップＳ１６においては、ＭＦＰ１０は、本人認証処理の認証対象ユーザ（認証プリントジョブの印刷出力物の受取ユーザ）（Ｕ１）と当該認証プリントジョブの依頼元ユーザとが同一（同一人物）である旨を判定する。換言すれば、ＭＦＰ１０は、ユーザ認証が成功した旨を判定する。
【００８２】
そして、処理はステップＳ１６からステップＳ１８へと進み、ＭＦＰ１０は、格納部５に格納されているプリントジョブデータ４００に基づいて印刷出力を実行する。具体的には、ＭＦＰ１０は、認証プリントジョブの設定値群４７０に基づいて印刷対象ファイル４５０（図４）を印刷出力する。
【００８３】
このように、受信されたプリントジョブデータ４００に係る認証プリントジョブに関連する設問（ジョブ関連設問）に対して認証対象ユーザが正答することを条件に、当該プリントジョブデータ４００に基づく印刷出力が実行される。
【００８４】
一方、たとえば認証プリントジョブの設定値群４７０に基づきテストファイル５５０が印刷出力されたにもかかわらず、テストファイル５５０に関する設定値群が当該設定値群４７０とは異なる旨の解答（「いいえ」ボタン２１２の押下操作）が受け付けられたときには、認証対象ユーザＵ１の解答は不正解である旨がステップＳ１５にて判定される。
【００８５】
また、たとえばダミーの設定値群５７０に基づきテストファイル５５０が印刷出力された（図３参照）にもかかわらず、テストファイル５５０に関する設定値群が認証プリントジョブの設定値群４７０と同じである旨の解答（「はい」ボタン２１１の押下操作）が受け付けられたときにも、認証対象ユーザＵ１の解答は不正解である旨がステップＳ１５にて判定される。
【００８６】
認証対象ユーザの解答が不正解である旨がステップＳ１５にて判定されると、処理はステップＳ１５からステップＳ１７へと進む。
【００８７】
ステップＳ１７においては、ＭＦＰ１０は、本人認証処理の認証対象ユーザ（認証プリントジョブの印刷出力物の受取ユーザ）と認証プリントジョブの依頼元ユーザとが異なる旨を判定する。換言すれば、ＭＦＰ１０は、ユーザ認証が失敗した旨を判定する。
【００８８】
そして、処理はステップＳ１８を経ずに（プリントジョブデータ４００に基づく印刷出力は実行されずに）終了する。
【００８９】
ここにおいて、本人認証（ユーザ認証）における照合処理用のデータベース（ＭＦＰ１０の利用ユーザ全員の正規の認証情報を格納したデータベース）を用いて認証プリントジョブが実行される場合、種々の問題が生じ得る。たとえば、ユーザ認証に際してユーザによって入力される認証情報（ユーザＩＤおよびパスワード等）の管理は、当該ユーザ個人に委ねられていることが多く、ユーザによっては当該認証情報が流出してしまう恐れがある。また、当該データベースへの登録ユーザのみが認証プリントジョブを利用することができ、未登録ユーザ（当該データベースに未だ登録されていないユーザ）は認証プリントジョブを利用することができない。さらに、当該データベースが予め設けられていない場合には、ＭＦＰ１０の利用ユーザの正規の認証情報を新たに登録する作業を行う（当該データベースを新たに設ける）ことを要する。
【００９０】
これに対して、第１実施形態においては、受信されたプリントジョブデータ４００に基づいて、当該プリントジョブデータ４００に係る認証プリントジョブに関連する設問（ジョブ関連設問）が認証対象ユーザに対して出題される（図３参照）（ステップＳ１３）。そして、当該認証対象ユーザと当該認証プリントジョブの依頼元ユーザとが同じであるか否かを当該ジョブ関連設問に対する認証対象ユーザからの解答に基づいて判定する処理が、本人認証処理として実行される（ステップＳ１５〜Ｓ１７）。すなわち、認証プリントジョブの依頼元ユーザ本人であれば正答できる設問を認証対象ユーザに対して出題する処理が、照合処理用のデータベースを用いるユーザ認証処理に代えて実行される。したがって、照合処理用のデータベースを用いずに認証プリントジョブを実行することが可能である。
【００９１】
その結果、認証プリントジョブの実行に際して照合処理用のデータベースが用いられないので、たとえば、照合処理に用いられる認証情報の流出を回避することが可能である。また、データベースに登録されたユーザであるか否かにかかわらず、いずれのユーザであっても認証プリントジョブを利用することが可能である。さらには、当該データベースが予め設けられていない場合であっても、当該データベースを新たに設けることなく認証プリントジョブを利用することが可能である。
【００９２】
なお、上記第１実施形態においては、テストファイル５５０が４ページに分けられて印刷出力されている（図３参照）が、これに限定されず、当該テストファイル５５０が集約されて印刷出力されてもよい。たとえば、４ページのテストファイル５５０が「４ｉｎ１」（あるいは「２ｉｎ１」等）で集約されて印刷出力されてもよい。これによれば、用紙を節約することが可能である。ただし、テストファイル５５０が集約されて印刷出力される場合、認証対象ユーザの混乱を避けるため、設定項目「ページ割付」以外の設定項目の設定値に関して同一性確認を行うように認証対象ユーザに通知されることが好ましい。
【００９３】
また、上記第１実施形態においては、テストファイル５５０が印刷出力されているが、これに限定されず、たとえば、テストファイル５５０がＭＦＰ１０のタッチパネル２５において表示出力（すなわちプレビュー表示）されてもよい。
【００９４】
＜２．第２実施形態＞
第２実施形態は、第１実施形態の変形例である。以下では、第１実施形態との相違点を中心に説明する。
【００９５】
上記第１実施形態では、出力されたテストファイル５５０に関する設定内容（設定値群）が認証プリントジョブの設定内容（設定値群４７０（図３））と同じであるか否かを問う設問が、ジョブ関連設問として出題されている（ステップＳ１３）（図６参照）。
【００９６】
これに対して、この第２実施形態では、ダミーの設定値群（非正規の設定値群）５７０（図３）を認証プリントジョブの設定値群（正規の設定値群）４７０に訂正することを要求する設問が、ジョブ関連設問として出題される（図７参照）。
【００９７】
この第２実施形態においても、図５の動作がＭＦＰ１０において実行される。ただし、この第２実施形態では、ステップＳ１３の処理内容（詳細には、ジョブ関連設問の内容）が第１実施形態とは異なる。
【００９８】
具体的には、ステップＳ１１，Ｓ１２ａの後において、ＭＦＰ１０は、ダミーの設定内容（設定値群５７０）を認証プリントジョブの設定内容（設定値群４７０）に訂正することを要求する設問を、ジョブ関連設問として出題する（ステップＳ１３）。
【００９９】
図７は、第２実施形態に係る設問画面２００（２２０）を示す図である。当該設問画面２２０においては、ダミーの設定値群５７０を認証プリントジョブの設定値群４７０に訂正することが、認証対象ユーザ（Ｕ１）に対して要求される。なお、当該設問画面２２０は、訂正要求画面とも称される。
【０１００】
図７に示されるように、訂正要求画面２２０においては、ダミーの設定値群５７０を当該認証プリントジョブの設定値群４７０（すなわち、正解の設定値群）に訂正することを要求するメッセージが表示されるとともに、当該ダミーの設定値群５７０の一覧（ダミーの設定内容を有する設定項目を含む複数の設定項目のそれぞれの設定内容の一覧）が認証対象ユーザＵ１に対して提示される。
【０１０１】
また、ここでは、当該訂正要求画面２２０において、ダミーの設定値群５７０に基づいてテストファイル５５０が表示出力（プレビュー表示）される。なお、これに限定されず、当該テストファイル５５０が印刷出力されてもよい。
【０１０２】
そして、認証対象ユーザ（認証プリントジョブの印刷出力物の受取ユーザ）Ｕ１は、訂正要求画面２２０において、ダミーの設定値群５７０を認証プリントジョブの設定値群４７０に訂正する訂正操作を、ジョブ関連設問に対する解答操作として行う。
【０１０３】
たとえば、認証対象ユーザＵ１は、ダミーの設定値群５７０（図７）における設定項目「カラー設定」の設定値（非正規の設定内容）「モノクロ」を、認証プリントジョブの設定値群４７０における設定項目「カラー設定」の設定値（正規の設定内容）「カラー」に訂正する。具体的には、設定項目「カラー設定」の設定値の変更操作（訂正操作）を受け付ける設定領域２２５（図７）が認証対象ユーザＵ１によって押下されると、当該設定項目「カラー設定」の複数の設定値候補（たとえば、「カラー」、「モノクロ）が表示される（図８参照）。そして、認証対象ユーザＵ１は、当該複数の設定値候補の中から認証プリントジョブの設定内容（ここでは「カラー」）を選択する（図８参照）。これにより、ダミーの設定値群５７０における設定項目「カラー設定」の設定値（ダミーの設定内容）「モノクロ」が、認証プリントジョブの設定値群４７０における設定項目「カラー設定」の設定値（認証プリントジョブの設定内容）「カラー」に訂正される（図９参照）。
【０１０４】
同様にして、認証対象ユーザＵ１は、ダミーの設定値群５７０における設定項目「用紙サイズ」の設定値「Ｂ３」を、認証プリントジョブの設定値群４７０における設定項目「用紙サイズ」の設定値「Ａ４」に訂正する。また、認証対象ユーザＵ１は、認証対象ユーザＵ１は、ダミーの設定値群５７０における設定項目「ページ番号」の設定値「なし」を、認証プリントジョブの設定値群４７０における設定項目「ページ番号」の設定値「あり」に訂正する。
【０１０５】
図９は、訂正操作後の訂正要求画面２２０を示す図である。ここでは、３つの設定項目（「カラー設定」、「用紙サイズ」および「ページ番号」）のそれぞれの設定値が訂正されている。認証対象ユーザＵ１は、このようにして訂正操作を行った後、「完了」ボタン２２１（訂正操作の完了を指示するボタン）を押下する。
【０１０６】
そして、ＭＦＰ１０は、認証対象ユーザＵ１による当該訂正操作（解答操作）を受け付け（ステップＳ１４）、当該認証対象ユーザＵ１による解答に対する正誤判定処理を実行する（ステップＳ１５）。具体的には、ＭＦＰ１０は、ダミーの設定値群５７０が認証プリントジョブの設定値群４７０に訂正されたか否か、を判定する。より具体的には、複数の設定項目のうちダミーの設定内容を有する設定項目（ここでは、「カラー設定」、「用紙サイズ」および「ページ番号」）の全ての設定内容が認証プリントジョブの設定内容に訂正されたか否か、が判定される。
【０１０７】
ダミーの設定値群５７０が認証プリントジョブの設定値群４７０に訂正された場合、ＭＦＰ１０は、認証対象ユーザＵ１の解答は正解である旨をステップＳ１５にて判定する。そして、認証対象ユーザＵ１と認証プリントジョブの依頼元ユーザとが同一である旨が判定されて（ステップＳ１６）、プリントジョブデータ４００に基づく印刷出力が実行される（ステップＳ１８）。
【０１０８】
一方、ダミーの設定値群５７０が認証プリントジョブの設定値群４７０に訂正されなかった場合、ＭＦＰ１０は、認証対象ユーザＵ１の解答は不正解である旨をステップＳ１５にて判定する。そして、認証対象ユーザＵ１が認証プリントジョブの依頼元ユーザと異なる旨が判定され（ステップＳ１７）、図５の動作は終了する（すなわち、プリントジョブデータ４００に基づく印刷出力は実行されない）。
【０１０９】
このように、第２実施形態では、ダミーの設定値群５７０を認証プリントジョブの設定値群４７０に訂正することを要求する設問が、ジョブ関連設問として出題される（ステップＳ１３）。
【０１１０】
なお、これに限定されず、ダミーの設定内容を有する設定項目（ダミーの設定値群５７０のうち、認証プリントジョブの設定値群４７０とは異なる設定値（設定内容）を有する設定項目）を複数の設定項目の中から選択することを要求する設問が、ジョブ関連設問として出題されてもよい。
【０１１１】
図１０は、この改変例に係る設問画面２００（２３０）を示す図である。当該設問画面２３０においては、ダミーの設定内容を有する設定項目を複数の設定項目（当該ダミーの設定内容を有する設定項目を含む複数の設定項目）の中から選択（指摘）することが、認証対象ユーザ（Ｕ１）に対して要求される。当該設問画面２３０は、項目選択要求画面とも称される。
【０１１２】
具体的には、項目選択要求画面２３０においては、ダミーの設定内容を有する設定項目を選択することを要求するメッセージが表示されるとともに、ダミーの設定値群５７０の一覧（ダミーの設定内容を有する設定項目を含む複数の設定項目のそれぞれの設定内容の一覧）が認証対象ユーザＵ１に対して提示される（図１０参照）。
【０１１３】
認証対象ユーザ（印刷出力物の受取ユーザ）Ｕ１は、当該項目選択要求画面２３０において、ダミーの設定内容を有する設定項目を当該複数の設定項目の中から選択する選択操作を行う。たとえば、認証対象ユーザＵ１は、ダミーの設定内容を有する設定項目「カラー設定」、「用紙サイズ」および「ページ番号」を複数の設定項目の中から選択する（図１１参照）。
【０１１４】
そして、ＭＦＰ１０は、認証対象ユーザＵ１による「完了」ボタン２３１（選択操作の完了を指示するボタン）の押下操作に応答して、認証対象ユーザＵ１による当該選択操作（解答操作）を受け付け（ステップＳ１４）、ジョブ関連設問に対する認証対象ユーザＵ１による解答の正誤判定処理を実行する（ステップＳ１５）。具体的には、ＭＦＰ１０は、ダミーの設定内容を有する設定項目が全て選択されており且つ認証プリントジョブの設定内容を有する設定項目が選択されていない状態（選択状態）であるか否か、を判定する。
【０１１５】
たとえば、ダミーの設定内容を有する設定項目（ここでは、「カラー設定」、「用紙サイズ」および「ページ番号」）が全て選択されており且つ認証プリントジョブの設定内容を有する設定項目（たとえば「両面／片面」）が選択されていない場合、ＭＦＰ１０は、認証対象ユーザＵ１の解答は正解である旨をステップＳ１５にて判定する。そして、認証対象ユーザＵ１と認証プリントジョブの依頼元ユーザとが同一である旨が判定されて（ステップＳ１６）、プリントジョブデータ４００に基づく印刷出力が実行される（ステップＳ１８）。
【０１１６】
一方、ダミーの設定内容を有する設定項目（「カラー設定」、「用紙サイズ」および「ページ番号」）のうちの少なくとも１つの設定項目が選択されていない場合および／または認証プリントジョブの設定内容を有する設定項目（「両面／片面」）が選択されている場合、ＭＦＰ１０は、認証対象ユーザＵ１の解答は不正解である旨をステップＳ１５にて判定する。そして、認証対象ユーザＵ１が認証プリントジョブの依頼元ユーザと異なる旨が判定され（ステップＳ１７）、プリントジョブデータ４００に基づく印刷出力は実行されない。
【０１１７】
このように、ダミーの設定内容を有する設定項目を複数の設定項目の中から選択することを要求する設問が、ジョブ関連設問として出題されてもよい。
【０１１８】
＜３．第３実施形態＞
第３実施形態は、第１実施形態の変形例である。以下では、第１実施形態との相違点を中心に説明する。
【０１１９】
上記第１実施形態では、受け付けられた認証プリントジョブの設定内容（設定値群４７０（図３参照））に関連する設問が、ジョブ関連設問として出題されている。
【０１２０】
これに対して、以下の第３実施形態〜第６実施形態では、当該認証プリントジョブにおける印刷対象ファイル４５０（図４参照）に関連する設問が、ジョブ関連設問として出題される。換言すれば、印刷対象ファイル４５０を印刷出力するジョブの依頼元ユーザ（印刷対象ファイル４５０を知っているユーザ）本人であれば正答することができる設問が、認証対象ユーザに対して出題される。
【０１２１】
この第３実施形態では、当該印刷対象ファイル４５０のファイル拡張子を問う設問が、ジョブ関連設問として出題される。
【０１２２】
図１２は、第３実施形態に係るＭＦＰ１０の動作を示すフローチャートである。図１２に示されるように、この第３実施形態では、ステップＳ１２ａ（図５）に代えてステップＳ１２ｂが実行される。
【０１２３】
具体的には、ステップＳ１２ｂにおいては、ＭＦＰ１０は、受信されたプリントジョブデータ４００に基づいて、認証プリントジョブにおける印刷対象ファイル４５０に関連する情報（印刷対象ファイル情報とも称する）を抽出する。ここでは、印刷対象ファイル４５０の拡張子情報（ファイル拡張子を示す情報）が、印刷対象ファイル情報として抽出される。そして、処理はステップＳ１２ｂからステップＳ１３へと進む。
【０１２４】
ステップＳ１３においては、ＭＦＰ１０は、認証プリントジョブにおける印刷対象ファイル４５０のファイル拡張子を問う設問を、ジョブ関連設問として認証対象ユーザ（Ｕ１）に対して出題する。
【０１２５】
図１３は、第３実施形態に係る設問画面２００（２４０）を示す図である。当該設問画面２４０においては、受け付けられた認証プリントジョブにおける印刷対象ファイル４５０のファイル拡張子を選択することが、認証対象ユーザ（Ｕ１）に対して要求される。当該設問画面２４０は、拡張子選択画面とも称される。なお、ここでは、当該印刷対象ファイル４５０のファイル拡張子を選択することが認証対象ユーザに対して要求されているが、これに限定されず、当該ファイル拡張子を入力することが認証対象ユーザに対して要求されてもよい。
【０１２６】
認証対象ユーザＵ１は、拡張子選択画面２４０を用いて、印刷対象ファイル４５０のファイル拡張子の選択操作をジョブ関連設問に対する解答操作として行い、「完了」ボタン２４１（選択操作の完了を指示するボタン）を押下する。
【０１２７】
そして、ＭＦＰ１０は、認証対象ユーザＵ１による解答操作（選択操作）を受け付け（ステップＳ１４）、ジョブ関連設問に対する認証対象ユーザＵ１による解答の正誤判定処理を実行する（ステップＳ１５）。具体的には、ＭＦＰ１０は、認証プリントジョブにおける印刷対象ファイル４５０の拡張子と同じ拡張子が選択されているか否か、を判定する。
【０１２８】
印刷対象ファイル４５０の拡張子（ここでは「ｐｐｔｘ」）と同じ拡張子が選択された場合、認証対象ユーザＵ１の解答は正解である旨がステップＳ１５にて判定される。そして、当該認証対象ユーザＵ１と認証プリントジョブの依頼元ユーザとが同一である旨がステップＳ１６にて判定されて、プリントジョブデータ４００に基づく印刷出力が実行される（ステップＳ１８）。
【０１２９】
一方、印刷対象ファイル４５０の拡張子（「ｐｐｔｘ」）とは異なる拡張子（「ｐｄｆ」等）が選択された場合、認証対象ユーザＵ１の解答は不正解である旨がステップＳ１５にて判定される。そして、当該認証対象ユーザＵ１が認証プリントジョブの依頼元ユーザとは異なる旨がステップＳ１７にて判定されて、図１２の動作は終了する（すなわち、プリントジョブデータ４００に基づく印刷出力は実行されない）。
【０１３０】
このように、第３実施形態においては、認証プリントジョブにおける印刷対象ファイル４５０のファイル拡張子を問う設問が、ジョブ関連設問として出題される（ステップＳ１３）。
【０１３１】
なお、これに限定されず、たとえば、当該印刷対象ファイル４５０のファイル名を問う設問がジョブ関連設問として出題されてもよい。
【０１３２】
図１４は、この改変例に係る設問画面２００（２５０）を示す図である。当該設問画面２５０においては、認証プリントジョブにおける印刷対象ファイル４５０のファイル名（図４参照）を入力することが、認証対象ユーザ（Ｕ１）に対して要求される（ステップＳ１３）。当該設問画面２５０は、ファイル名入力画面とも称される。なお、ここでは、当該印刷対象ファイル４５０のファイル名を入力することが認証対象ユーザに対して要求されているが、これに限定されず、当該ファイル名を複数の選択肢の中から選択することが認証対象ユーザに対して要求されてもよい。
【０１３３】
認証対象ユーザＵ１は、ファイル名入力画面２５０を用いて、印刷対象ファイル４５０のファイル名の入力操作をジョブ関連設問に対する解答操作として行い、「完了」ボタン２５１（入力操作の完了を指示するボタン）を押下する。なお、ファイル名の入力操作には、タッチパネル２５に表示されたソフトウエアキーボードが用いられてもよく、あるいは、ＭＦＰ１０に接続されたハードウエアキーボード等が用いられてもよい。
【０１３４】
そして、ＭＦＰ１０は、認証対象ユーザＵ１による当該入力操作（解答操作）を受け付け（ステップＳ１４）、認証対象ユーザＵ１による解答に対する正誤判定処理を実行する（ステップＳ１５）。具体的には、当該印刷対象ファイル４５０のファイル名（たとえば「発表資料」）と同じ文字列が入力されているか否か、が判定される。
【０１３５】
このように、認証プリントジョブにおける印刷対象ファイル４５０のファイル名を問う設問がジョブ関連設問として出題されてもよい。
【０１３６】
あるいは、当該印刷対象ファイル４５０（詳細には文書ファイル４５１）に含まれる文字列（キーワード）を問う設問がジョブ関連設問として出題されてもよい。たとえば、当該文書ファイル４５１において最も頻出する文字列（最頻出ワードとも称する）を問う設問がジョブ関連設問として出題されてもよい。
【０１３７】
図１５は、この改変例に係る設問画面２００（２６０）を示す図である。当該設問画面２６０においては、当該文書ファイル４５１における最頻出ワードを入力することが認証対象ユーザ（Ｕ１）に対して要求される。当該設問画面２６０は、最頻出ワード入力画面とも称される。
【０１３８】
認証対象ユーザＵ１は、最頻出ワード入力画面２６０を用いて、文書ファイル４５１における最頻出ワードの入力操作をジョブ関連設問に対する解答操作として行い、「完了」ボタン２６１（入力操作の完了を指示するボタン）を押下する。
【０１３９】
そして、ＭＦＰ１０は、認証対象ユーザＵ１による当該入力操作（解答操作）を受け付け（ステップＳ１４）、認証対象ユーザＵ１による解答に対する正誤判定処理を実行する（ステップＳ１５）。具体的には、文書ファイル４５１における最頻出ワード（たとえば「ａａａ」）が入力されているか否か、が判定される。
【０１４０】
このように、認証プリントジョブにおける印刷対象ファイル４５０（文書ファイル４５１）に含まれる文字列を問う設問が、ジョブ関連設問として出題されてもよい。なお、ここでは、当該文書ファイル４５１における最頻出ワードを問う設問が、ジョブ関連設問として出題されているが、これに限定されず、たとえば、当該文書ファイル４５１内のタイトル領域４９０（図４）に記述されている文字列（文書タイトル）を問う設問が、ジョブ関連設問として出題されてもよい。具体的には、ＭＦＰ１０は、文書ファイルにおけるセンタリング領域（タイトル領域）４９０を抽出する機能を有しており、文書ファイル４５１においてセンタリング領域４９０に記述されている文字列（文書タイトル）を抽出する。そして、ＭＦＰ１０は、当該文書タイトルを問う設問をジョブ関連設問として出題する。
【０１４１】
＜４．第４実施形態＞
第４実施形態は、第３実施形態の変形例である。以下では、第３実施形態との相違点を中心に説明する。
【０１４２】
この第４実施形態では、受け付けられた認証プリントジョブにおける印刷対象ファイル４５０（詳細には文書ファイル４５１（図４））に含まれる文字列（キーワード）を複数の選択肢の中から選択することを要求する設問が、ジョブ関連設問として出題される。
【０１４３】
この第４実施形態においても、第３実施形態と同様に図１２の動作がＭＦＰ１０にて実行される。ただし、この第４実施形態では、ステップＳ１３の処理内容（詳細には、ジョブ関連設問の内容）が第３実施形態とは異なる。
【０１４４】
まず、ステップＳ１２ｂにおいては、受信されたプリントジョブデータ４００に基づいて、印刷対象ファイル情報が抽出される。ここでは、受信されたプリントジョブデータ４００に基づいて、認証プリントジョブにおける印刷対象ファイル４５０（詳細には文書ファイル４５１）に含まれる文字列（「ａａａ」、「ｂｂ」、「ｃｃｃｃ」、...）が抽出される。
【０１４５】
そして、ステップＳ１３においては、ＭＦＰ１０は、抽出された文字列に基づいて、文書ファイル４５１に含まれる文字列を複数の選択肢（ここでは４つの選択肢２７１〜２７４（図１６））の中から選択することを要求する設問を、ジョブ関連設問として出題する。具体的には、まず、文書ファイル４５１に含まれる文字列のうち、当該文書ファイル４５１における出現頻度が最も高い文字列から順に３つの文字列（ここでは、上位３つの文字列「ａａａ」、「ｂｂ」および「ｃｃｃｃ」）が特定される。そして、当該３つの文字列を文書ファイル４５１における出現頻度の高い順に複数の選択肢２７１〜２７４の中から選択することを要求する設問が、ジョブ関連設問として出題される。
【０１４６】
図１６は、第４実施形態に係る設問画面２００（２７０）を示す図である。当該設問画面２７０においては、当該３つの文字列（「ａａａ」、「ｂｂ」、「ｃｃｃｃ」）を文書ファイル４５１における出現頻度の高い順に複数の選択肢２７１〜２７４の中から選択することが、認証対象ユーザ（Ｕ１）に対して要求される。当該設問画面２７０は、頻出ワード選択画面とも称される。
【０１４７】
当該複数の選択肢２７１〜２７４のうちの選択肢２７１は、文書ファイル４５１に含まれる文字列「ｂｂ」に対応する選択肢（選択肢ボタン）である。選択肢２７３は、文書ファイル４５１に含まれる文字列「ａａａ」に対応する選択肢（選択肢ボタン）である。選択肢２７４は、文書ファイル４５１に含まれる文字列「ｃｃｃｃ」に対応する選択肢（選択肢ボタン）である。
【０１４８】
当該複数の選択肢２７１〜２７４のうちの選択肢２７２は、文書ファイル４５１には含まれていないダミーの文字列（ダミーワードとも称される）「ｍｍ」に対応する選択肢（選択肢ボタン）である。換言すれば、複数の選択肢には、文書ファイル４５１に含まれていないダミーの文字列「ｍｍ」が含まれる。
【０１４９】
認証対象ユーザＵ１は、頻出ワード選択画面２７０を用いて、当該３つの文字列（詳細には、当該３つの文字列に対応する３つの選択肢）を文書ファイル４５１における出現頻度の高い順に複数の選択肢２７１〜２７４の中から選択する選択操作（解答操作）を行い、「完了」ボタン２７９（選択操作の完了を指示するボタン）を押下する。
【０１５０】
そして、ＭＦＰ１０は、認証対象ユーザＵ１による解答操作を受け付け（ステップＳ１４）、認証対象ユーザＵ１による解答に対する正誤判定処理を実行する（ステップＳ１５）。なお、ここでは、当該３つの文字列「ａａａ」、「ｂｂ」および「ｃｃｃｃ」のうち、文字列「ａａａ」の出現頻度が最も高く、文字列「ｃｃｃｃ」の出現頻度は２番目に高く、文字列「ｂｂ」の出現頻度は３番目に高い。
【０１５１】
たとえば、当該３つの文字列が文字列「ａａａ」、「ｃｃｃｃ」、「ｂｂ」の順（選択肢２７３，２７４，２７１の順）に選択された場合、ＭＦＰ１０は、認証対象ユーザＵ１の解答は正解である旨をステップＳ１５にて判定する。そして、当該認証対象ユーザＵ１と認証プリントジョブの依頼元ユーザとが同一である旨がステップＳ１６にて判定されて、プリントジョブデータ４００に基づく印刷出力が実行される（ステップＳ１８）。
【０１５２】
一方、当該３つの文字列が文字列「ａａａ」、「ｃｃｃｃ」、「ｂｂ」の順（選択肢２７３，２７４，２７１の順）とは異なる順序で選択された場合および／またはダミーの文字列「ｍｍ」（選択肢２７２）が選択された場合、ＭＦＰ１０は、認証対象ユーザＵ１の解答が不正解であるとステップＳ１５にて判定する。そして、当該認証対象ユーザＵ１が認証プリントジョブの依頼元ユーザとは異なる旨がステップＳ１７にて判定されて、図１２の動作は終了する（すなわち、プリントジョブデータ４００に基づく印刷出力は実行されない）。
【０１５３】
このように、第４実施形態では、印刷対象ファイル４５０（詳細には文書ファイル４５１）に含まれる複数の文字列を当該文書ファイル４５１における出現頻度の高い順に複数の選択肢の中から選択することを要求する設問が、ジョブ関連設問として出題される（ステップＳ１３）。
【０１５４】
なお、これに限定されず、たとえば、当該文書ファイル４５１に含まれる複数の文字列を当該文書ファイル４５１における登場順に複数の選択肢の中から選択することを要求する設問が、ジョブ関連設問として出題されてもよい。
【０１５５】
ここでは、３つの文字列「ａａａ」、「ｂｂ」および「ｃｃｃｃ」は、文書ファイル４５１において文字列「ａａａ」、「ｂｂ」、「ｃｃｃｃ」の順に登場している（図４参照）。認証対象ユーザＵ１による選択操作（解答操作）において、この順序（「ａａａ」、「ｂｂ」、「ｃｃｃｃ」の順（選択肢２７３，２７１，２７４の順））で当該３つの文字列が選択された場合、認証対象ユーザＵ１の解答が正解である旨がステップＳ１５にて判定される。一方、この順序（「ａａａ」、「ｂｂ」、「ｃｃｃｃ」の順）とは異なる順序で当該３つの文字列が選択された場合および／またはダミーの文字列「ｍｍ」が選択された場合、認証対象ユーザＵ１の解答は不正解である旨がステップＳ１５にて判定される。
【０１５６】
このように、文書ファイル４５１に含まれる複数の文字列を当該文書ファイル４５１における登場順に複数の選択肢２７１〜２７４の中から選択することを要求する設問が、ジョブ関連設問として出題されてもよい。
【０１５７】
あるいは、当該複数の文字列に関する順序にかかわらず、当該文書ファイル４５１に含まれる文字列（ここでは３つの文字列「ａａａ」、「ｂｂ」および「ｃｃｃｃ」）（選択肢２７１，２７３，２７４）の全てを複数の選択肢２７１〜２７４（ダミーの文字列「ｍｍ」を含む選択肢）の中から選択することを要求する設問が、ジョブ関連設問として出題されてもよい。なお、これに限定されず、当該３つの文字列のうちの最頻出ワード（ここでは「ａａａ」）のみを複数の選択肢２７１〜２７４の中から選択することを要求する設問が、ジョブ関連設問として出題されてもよい。
【０１５８】
＜５．第５実施形態＞
第５実施形態は、第３実施形態の変形例である。以下では、第３実施形態との相違点を中心に説明する。
【０１５９】
この第５実施形態では、印刷対象ファイル４５０に含まれる被写体（たとえば、「人間（人物）」）の数を問う設問が、ジョブ関連設問として出題される。
【０１６０】
この第５実施形態では、写真ファイル４５２（４５０）（図１７参照）を印刷出力する認証プリントジョブの実行指示が付与される態様が例示される。なお、ここでは、当該写真ファイル４５２には、１人の「男性（成人男性）」と１人の「女性（成人女性）」と１人の「子供」と１つの「山」と１つの「雲」とが写っていることを想定する。換言すれば、当該写真ファイル４５２には、３人の「人間」と１つの「山」と１つの「雲」とが写っていることを想定する。
【０１６１】
この第５実施形態においても、図１２の動作がＭＦＰ１０にて実行される。ただし、この第５実施形態では、ステップＳ１３の処理内容（詳細には、ジョブ関連設問の内容）が第３実施形態とは異なる。
【０１６２】
まず、ステップＳ１２ｂにおいては、受信されたプリントジョブデータ４００に基づいて、印刷対象ファイル情報が検出される。具体的には、ＭＦＰ１０は、当該プリントジョブデータ４００に含まれる写真ファイル４５２（印刷対象ファイル４５０）に対して画像処理（物体認識処理等）を実行して、当該写真ファイル４５２に含まれる被写体の種別（ここでは、「人間」、「山」および「雲」）を検出する。
【０１６３】
そして、ステップＳ１３においては、ＭＦＰ１０は、検出された種別（被写体の種別）に基づいて、写真ファイル４５２に含まれる被写体（詳細には、特定の種別（ここでは「人間」）を有する被写体）の数を問う設問が、ジョブ関連設問として出題する。
【０１６４】
図１８は、第５実施形態に係る設問画面２００（２８０）を示す図である。当該設問画面２８０においては、写真ファイル４５２に含まれる被写体であって特定の種別「人間」を有する被写体の数を入力することが、認証対象ユーザ（Ｕ１）に対して要求される。当該設問画面２８０は、被写体数入力画面とも称される。
【０１６５】
当該認証対象ユーザＵ１は、被写体数入力画面２８０を用いて、写真ファイル４５２に含まれる被写体（「人間」）の数を入力する入力操作（解答操作）を行い、「完了」ボタン２８１（入力操作の完了を指示するボタン）を押下する。
【０１６６】
そして、ＭＦＰ１０は、認証対象ユーザＵ１による解答操作（入力操作）を受け付け（ステップＳ１４）、当該認証対象ユーザＵ１による解答に対する正誤判定処理を実行する（ステップＳ１５）。具体的には、ＭＦＰ１０は、写真ファイル４５２に含まれる被写体「人間」の数と同じ数字が入力されているか否か、を判定する。
【０１６７】
たとえば、認証対象ユーザＵ１による入力値が値「３」（３人）である場合、認証対象ユーザＵ１の解答は正解である旨がステップＳ１５にて判定される。そして、当該認証対象ユーザＵ１と認証プリントジョブの依頼元ユーザとが同一である旨がステップＳ１６にて判定されて、プリントジョブデータ４００に基づく印刷出力が実行される（ステップＳ１８）。
【０１６８】
一方、認証対象ユーザＵ１による入力値が値「３」でない場合、認証対象ユーザＵ１の解答は不正解であるとステップＳ１５にて判定される。そして、当該認証対象ユーザＵ１が認証プリントジョブの依頼元ユーザとは異なる旨がステップＳ１７にて判定されて、図１２の動作は終了する（すなわち、プリントジョブデータ４００に基づく印刷出力は実行されない）。
【０１６９】
このように、第５実施形態においては、認証プリントジョブにおける印刷対象ファイル４５０（詳細には写真ファイル４５２）に含まれる被写体（特定の種別を有する被写体）の数を問う設問が、ジョブ関連設問として出題される（ステップＳ１３）。
【０１７０】
＜６．第６実施形態＞
第６実施形態は、第５実施形態の変形例である。以下では、第５実施形態との相違点を中心に説明する。
【０１７１】
この第６実施形態では、受け付けられた認証プリントジョブにおける印刷対象ファイル４５０（詳細には写真ファイル４５２（図１７））に含まれる被写体の種別を示す種別情報を複数の選択肢の中から選択することを要求する設問が、ジョブ関連設問として出題される。
【０１７２】
なお、この第６実施形態においても、第５実施形態と同様に、写真ファイル４５２（図１７）を印刷出力する認証プリントジョブの実行指示が付与される態様が例示される。
【０１７３】
この第６実施形態においても、第５実施形態と同様に図１２の動作がＭＦＰ１０にて実行される。ただし、この第６実施形態では、ステップＳ１３の処理内容（詳細には、ジョブ関連設問の内容）が第５実施形態とは異なる。
【０１７４】
具体的には、第６実施形態におけるステップＳ１３においては、ＭＦＰ１０は、ステップＳ１２ｂにて検出された種別（被写体の種別）に基づいて、写真ファイル４５２に含まれる被写体の種別を示す種別情報を複数の選択肢（ここでは６つの選択肢２９１〜２９６（図１９））の中から選択することを要求する設問を、ジョブ関連設問として出題する。
【０１７５】
図１９は、第６実施形態に係る設問画面２００（２９０）を示す図である。当該設問画面２９０においては、当該種別情報を複数の選択肢２９１〜２９６の中から選択することが、認証対象ユーザ（Ｕ１）に対して要求される。当該設問画面２９０は、被写体選択画面とも称される。ここでは、各選択肢２９１〜２９６は、各種別を示す文字列（たとえば、文字列「男性」、文字列「山」等）を用いて表示される。なお、これに限定されず、たとえば、各選択肢２９１〜２９６が、各種別を示す画像（イラスト（たとえば、「男性」を示すイラスト、「山」を示すイラスト等））を用いて表示されてもよい。
【０１７６】
当該複数の選択肢のうちの選択肢２９１は、写真ファイル４５２に含まれる被写体の種別情報「男性」に対応する選択肢（選択肢ボタン）である。選択肢２９２は、写真ファイル４５２に含まれる被写体の種別情報「山」に対応する選択肢（選択肢ボタン）である。選択肢２９３は、写真ファイル４５２に含まれる被写体の種別情報「雲」に対応する選択肢（選択肢ボタン）である。選択肢２９４は、写真ファイル４５２に含まれる被写体の種別情報「子供」に対応する選択肢（選択肢ボタン）である。選択肢２９６は、写真ファイル４５２に含まれる被写体の種別情報「女性」に対応する選択肢（選択肢ボタン）である。
【０１７７】
当該複数の選択肢のうちの選択肢２９５は、写真ファイル４５２には含まれていないダミーの種別情報（ダミー種別情報とも称される）（ここでは「自動車」）に対応する選択肢（選択肢ボタン）である。換言すれば、複数の選択肢には、写真ファイル４５２に含まれていないダミーの種別情報「自動車」が含まれる。
【０１７８】
認証対象ユーザＵ１は、当該被写体選択画面２９０を用いて、写真ファイル４５２に含まれる被写体の種別情報（詳細には、当該種別情報に対応する選択肢）を複数の選択肢２９１〜２９６の中から選択する選択操作（解答操作）を行い、「完了」ボタン２９９（選択操作の完了を指示するボタン）を押下する。
【０１７９】
そして、ＭＦＰ１０は、認証対象ユーザＵ１による解答操作を受け付け（ステップＳ１４）、認証対象ユーザＵ１による解答に対する正誤判定処理を実行する（ステップＳ１５）。具体的には、ＭＦＰ１０は、写真ファイル４５２に含まれる被写体の種別情報が全て選択されており且つダミーの種別情報が選択されていない状態（選択状態）であるか否か、を判定する。
【０１８０】
たとえば、写真ファイル４５２に含まれる被写体の種別情報（選択肢２９１（「男性」），２９２（「山」），２９３（「雲」），２９４（「子供」）および２９６（「女性」））が全て選択されており且つ写真ファイル４５２には含まれていないダミーの種別情報（選択肢２９５（「自動車」））が選択されていない場合、ＭＦＰ１０は、認証対象ユーザＵ１の解答は正解である旨をステップＳ１５にて判定する。そして、当該認証対象ユーザＵ１と認証プリントジョブの依頼元ユーザとが同一である旨がステップＳ１６にて判定されて、プリントジョブデータ４００に基づく印刷出力が実行される（ステップＳ１８）。
【０１８１】
一方、写真ファイル４５２に含まれる被写体の複数の種別情報（選択肢２９１〜２９４，２９６）のうちの少なくとも１つの種別情報が選択されていない場合および／またはダミーの種別情報（選択肢２９５）が選択されている場合、ＭＦＰ１０は、認証対象ユーザＵ１の解答が不正解である旨をステップＳ１５にて判定する。そして、当該認証対象ユーザＵ１が認証プリントジョブの依頼元ユーザとは異なる旨がステップＳ１７にて判定されて、図１２の動作は終了する（すなわち、プリントジョブデータ４００に基づく印刷出力は実行されない）。
【０１８２】
このように、第６実施形態では、写真ファイル４５２に含まれる被写体の種別情報を複数の選択肢２９１〜２９６の中から選択することを要求する設問が、ジョブ関連設問として出題される（ステップＳ１３）。
【０１８３】
＜７．変形例等＞
以上、この発明の実施の形態について説明したが、この発明は上記説明した内容のものに限定されるものではない。
【０１８４】
たとえば、上記各実施形態等においては、ジョブ関連設問が、ＭＦＰ１０のタッチパネル２５を用いて（設問画面２１０（図６）〜２９０（図１９）参照）出題されている（ステップＳ１３）。
【０１８５】
しかしながら、本発明はこれに限定されず、ジョブ関連設問は、種々の方法を用いて出題されてもよい。
【０１８６】
たとえば、ジョブ関連設問が、ＭＦＰ１０の印刷出力部３を用いて出題されてもよい（ステップＳ１３）。具体的には、ジョブ関連設問を記述した設問用紙がＭＦＰ１０にて印刷出力されて、当該ジョブ関連設問が認証対象ユーザに対して出題されてもよい。この場合、当該ジョブ関連設問に対する認証対象ユーザからの解答が、ＭＦＰ１０の画像読取部２を用いて受け付けられてもよい（ステップＳ１４）。具体的には、認証対象ユーザは、印刷出力された設問用紙に手書きで解答し（「はい」を丸で囲む、解答内容を手書きで入力する等）、解答後の用紙（解答済用紙とも称する）をＭＦＰ１０にスキャンさせる。当該ＭＦＰ１０は、当該解答済用紙をスキャンして認証対象ユーザＵ１の解答を受け付ける（解答内容を取得する）（ステップＳ１４）。
【０１８７】
あるいは、ジョブ関連設問が、ＭＦＰ１０の音声出力部（スピーカ等）を用いて出題されてもよい（ステップＳ１３）。具体的には、ジョブ関連設問がＭＦＰ１０にて音声出力されて、当該ジョブ関連設問が認証対象ユーザに対して出題されてもよい。この場合、当該ジョブ関連設問に対する認証対象ユーザからの解答が、ＭＦＰ１０の音声入力部（マイク等）を用いて受け付けられてもよい（ステップＳ１４）。具体的には、認証対象ユーザは、ジョブ関連設問に対する解答（「はい」、「ｐｐｔｘ」等）を発声し、ＭＦＰ１０は、当該認証対象ユーザによる発声（音声入力）を音声認識して当該認証対象ユーザの解答を受け付ける（ステップＳ１４）。
【０１８８】
あるいは、ジョブ関連設問が、ユーザによって所持される印刷指示装置５０（たとえばタブレット端末）の印刷制御プログラム（プリンタドライバ等）を用いて出題されてもよい（ステップＳ１３）。具体的には、ジョブ関連設問を出題する設問画面２００（２１０（図６）〜２９０（図１９））の画面データが、ＭＦＰ１０から印刷指示装置５０に送信され当該印刷制御プログラムの表示画面にて表示出力されて、当該ジョブ関連設問が認証対象ユーザに対して出題されてもよい。この場合、当該ジョブ関連設問に対する認証対象ユーザからの解答が、当該印刷制御プログラムを用いて受け付けられてもよい（ステップＳ１４）。具体的には、認証対象ユーザは、印刷制御プログラムにて表示された設問画面２００においてジョブ関連設問への解答操作を行い、印刷指示装置５０（印刷制御プログラム）は、認証対象ユーザによる解答をＭＦＰ１０に送信する。そして、ＭＦＰ１０は、印刷指示装置５０（印刷制御プログラム）からの当該解答を受信して認証対象ユーザの解答を受け付ける（ステップＳ１４）。なお、この改変例においては、認証プリントジョブの依頼元ユーザ（本人認証処理の認証対象ユーザ）は、認証プリントジョブの送信指示を印刷指示装置５０にて付与した直後に、当該印刷指示装置５０（タブレット端末等）を所持した状態でＭＦＰ１０の存在場所へと移動するものとする。
【０１８９】
あるいは、ジョブ関連設問が、電子メールを用いて出題されてもよい（ステップＳ１３）。具体的には、ジョブ関連設問を記述した電子メールがＭＦＰ１０から印刷指示装置５０（すなわち、認証プリントジョブの依頼元ユーザ）に送信されて、当該ジョブ関連設問が認証対象ユーザに対して出題されてもよい。なお、当該依頼元ユーザ（認証対象ユーザ）の電子メールアドレスは、たとえば、認証プリントジョブの設定画面にて当該依頼元ユーザによって入力される。ジョブ関連設問が電子メールを用いて出題される場合、当該ジョブ関連設問に対する認証対象ユーザからの解答が、電子メールを用いて受け付けられてもよい（ステップＳ１４）。具体的には、ユーザによって所持される印刷指示装置５０（たとえばタブレット端末）は、ジョブ関連設問を記述した電子メールをＭＦＰ１０から受信すると、印刷指示装置５０にインストールされているメーラー（電子メールソフトウエア）によって生成された電子メール画面において当該ジョブ関連設問を表示する。認証対象ユーザは、当該電子メール画面においてジョブ関連設問に対する解答を記述し、電子メール（解答が記述された電子メール）の送信指示（解答の送信指示）を付与する。印刷指示装置５０は、当該送信指示に応答して、当該電子メールをＭＦＰ１０に送信（返信）する。そして、ＭＦＰ１０は、印刷指示装置５０から受信された電子メールに記述されている解答を認証対象ユーザからの解答として受け付ける（ステップＳ１４）。なお、この改変例においても、認証プリントジョブの依頼元ユーザ（本人認証処理の認証対象ユーザ）は、認証プリントジョブの送信指示を印刷指示装置５０にて付与した直後に、当該印刷指示装置５０（タブレット端末等）を所持した状態でＭＦＰ１０の存在場所へと移動するものとする。
【符号の説明】
【０１９０】
１  プリントシステム
１０  印刷出力装置（ＭＦＰ）
２５  タッチパネル
５０  印刷指示装置
２００  設問画面
４００  認証プリントジョブに係るプリントジョブデータ
４５０  プリントジョブデータにおける印刷対象ファイル
４７０  認証プリントジョブの設定値群
５５０  テストファイル
５７０  ダミーの設定値群
【図１】
2020021348.tif 000003
【図２】
2020021348.tif 000004
【図３】
2020021348.tif 000005
【図４】
2020021348.tif 000006
【図５】
2020021348.tif 000007
【図６】
2020021348.tif 000008
【図７】
2020021348.tif 000009
【図８】
2020021348.tif 000010
【図９】
2020021348.tif 000011
【図１０】
2020021348.tif 000012
【図１１】
2020021348.tif 000013
【図１２】
2020021348.tif 000014
【図１３】
2020021348.tif 000015
【図１４】
2020021348.tif 000016
【図１５】
2020021348.tif 000017
【図１６】
2020021348.tif 000018
【図１７】
2020021348.tif 000019
【図１８】
2020021348.tif 000020
【図１９】
2020021348.tif 000021